(57)【特許請求の範囲】
【請求項１】
通信フレームの複数のタイムスロットを共有し、時分割複信無線システムにおいて複数の帯域幅で動作可能な複数のユーザ装置と基地局との間での時分割複信無線システムにおける通信をサポートする方法であって、
前記複数の帯域幅のうち第１の帯域幅を使用して、通信フレームの複数のタイムスロットのうち少なくとも第１のタイムスロットをユーザ装置に割り当て、
前記複数の帯域幅のうち第２の帯域幅を使用して、通信フレームの複数のタイムスロットのうち少なくとも第２のタイムスロットを前記ユーザ装置に割り当てることを有する方法。
【請求項２】
請求項１に記載の方法であって、
前記第１及び第２の帯域幅で使用される特別のタイムスロットを割り当てることを更に特徴とする方法。
【請求項３】
請求項１に記載の方法であって、
前記第１の帯域幅は、前記第２の帯域幅の整数倍である方法。
【請求項４】
請求項１に記載の方法であって、
前記通信フレームは、前記複数のタイムスロットのうち少なくとも１つのタイムスロットにビーコンデータを含める方法。
【請求項５】
請求項１に記載の方法であって、
前記複数の帯域幅のうち前記第１及び第２の帯域幅の使用は、相互に独立して制御される方法。
【請求項６】
請求項１に記載の方法であって、
前記複数の帯域幅のうち前記第１及び第２の帯域幅は、共通に制御される方法。
【請求項７】
請求項１に記載の方法であって、
前記第１の帯域幅を使用して、前記通信フレームの前記複数のタイムスロットのうち少なくとも第１のタイムスロットの複数のインスタンスを伝送することを有する方法。
【請求項８】
請求項７に記載の方法であって、
前記複数のインスタンスは、周波数ドメインで分かれている方法
【請求項９】
請求項７に記載の方法であって、
前記複数のインスタンスの数は、前記第１の帯域幅に対する前記第２の帯域幅の比率に比例する方法。
【請求項１０】
請求項１に記載の方法であって、
ブロードキャストシグナリングを介してタイムスロットのパラメータを前記ユーザ装置に伝送することを更に有する方法。
【請求項１１】
請求項１０に記載の方法であって、
タイムスロットのパラメータを前記ユーザ装置に伝送することは、システム情報ブロックでブロードキャストされる信号を伝送することを有する方法。
【請求項１２】
請求項１に記載の方法であって、
ポイント・ツー・ポイント・シグナリングを介してタイムスロットのパラメータを前記ユーザ装置に伝送することを更に有する方法。
【請求項１３】
請求項１２に記載の方法であって、
前記ポイント・ツー・ポイント・シグナリングは、
単一の割り当てのタイムスロットパラメータと、
複数の割り当てのタイムスロットパラメータと、
無線リソース制御(RRC)メッセージで運ばれるメッセージと、
媒体アクセス制御(MAC)メッセージで運ばれるメッセージと、
物理レイヤメッセージで運ばれるメッセージと
を有するグループのうち少なくとも１つを有する方法。
【請求項１４】
通信フレームの複数のタイムスロットを共有し、時分割複信無線システムにおいて複数の帯域幅で動作可能な複数のユーザ装置との時分割複信無線システムにおける通信をサポートする基地局であって、
前記複数の帯域幅のうち第１の帯域幅を使用して、通信フレームの複数のタイムスロットのうち少なくとも第１のタイムスロットをユーザ装置に割り当て、前記複数の帯域幅のうち第２の帯域幅を使用して、通信フレームの複数のタイムスロットのうち少なくとも第２のタイムスロットを前記ユーザ装置に割り当てるように動作可能な割り当てユニットを有する基地局。
【請求項１５】
通信フレームの複数のタイムスロットを共有し、時分割複信無線システムにおいて複数の帯域幅で動作可能なユーザ装置であって、
タイムスロット毎又は通信フレーム毎に、前記複数の帯域幅のうち第１の帯域幅で、前記複数のタイムスロットのうち少なくとも第１のタイムスロットを使用し、前記複数の帯域幅のうち第２の帯域幅で、通信フレームの複数のタイムスロットのうち少なくとも第２のタイムスロットを使用するように前記ユーザ装置に指示する信号を基地局から受信する受信機を有するユーザ装置。
【請求項１６】
請求項１５に記載のユーザ装置であって、
前記ユーザ装置が前記複数の帯域幅のうち前記第２の帯域幅を使用して動作可能であることを示す指示信号を前記基地局に伝送する送信機を更に有するユーザ装置。
【請求項１７】
請求項１６に記載のユーザ装置であって、
前記指示信号は、前記ユーザ装置が前記複数の帯域幅のうち前記第１の帯域幅と前記複数の帯域幅のうち前記第２の帯域幅との双方を使用して動作可能であることを示すユーザ装置。
【請求項１８】
請求項１５に記載のユーザ装置であって、
前記受信機は、第１の帯域幅のタイムスロットと第２の帯域幅のタイムスロットとを同じ通信フレームで受信するように構成されるユーザ装置。
【請求項１９】
請求項１６に記載のユーザ装置であって、
前記受信機は、第１の帯域幅のタイムスロットと第２の帯域幅のタイムスロットとを同じ通信フレームで受信するように構成されるユーザ装置。
【請求項２０】
通信フレームの複数のタイムスロットを共有し、時分割複信無線システムにおいて複数の帯域幅で動作可能な通信の受信方法であって、
ユーザ装置において、タイムスロット毎又は通信フレーム毎に、前記複数の帯域幅のうち第１の帯域幅で、前記複数のタイムスロットのうち少なくとも第１のタイムスロットを使用し、前記複数の帯域幅のうち第２の帯域幅で、通信フレームの複数のタイムスロットのうち少なくとも第２のタイムスロットを使用するように前記ユーザ装置に指示する信号を基地局から受信することを有する方法。
【請求項２１】
請求項１に記載の方法を実行するコンピュータプログラムを格納したコンピュータ可読記録媒体。
【請求項２２】
請求項２０に記載の方法を実行するコンピュータプログラムを格納したコンピュータ可読記録媒体。
【請求項２３】
通信フレームの複数のタイムスロットを共有し、時分割複信無線システムにおいて複数の帯域幅で動作可能な複数のユーザ装置との通信をサポートする基地局の集積回路であって、
前記複数の帯域幅のうち第１の帯域幅を使用して、通信フレームの複数のタイムスロットのうち少なくとも第１のタイムスロットをユーザ装置に割り当て、前記複数の帯域幅のうち第２の帯域幅を使用して、通信フレームの複数のタイムスロットのうち少なくとも第２のタイムスロットを前記ユーザ装置に割り当てるように動作可能な割り当てユニットを有する集積回路。
【請求項２４】
通信フレームの複数のタイムスロットを共有し、時分割複信無線システムにおいて複数の帯域幅で動作可能なユーザ装置の集積回路であって、
タイムスロット毎又は通信フレーム毎に、前記複数の帯域幅のうち第１の帯域幅で、前記複数のタイムスロットのうち少なくとも第１のタイムスロットを使用し、前記複数の帯域幅のうち第２の帯域幅で、通信フレームの複数のタイムスロットのうち少なくとも第２のタイムスロットを使用するように前記ユーザ装置に指示する信号を基地局から受信する受信機を有する集積回路。
【発明の詳細な説明】
【技術分野】
【０００１】
本発明は符号分割多重アクセス(CDMA:code  division  multiple  access)システムに関するものであり、(排他的ではないが)特に時分割複信(TDD:time  division  duplex)モードで動作する無線CDMAシステムに関するものである。
【背景技術】
【０００２】
本発明の分野において、現在、単一のチップレートで動作する符号分割多重アクセス通信(CDMA)システムが存在することが知られている。帯域集中的なアプリケーションの要求が増加すると、これまで以上に高いチップレートで通信が運ばれる必要がある。通信ネットワークを運営する組織(オペレータ)が低チップレート及び高チップレートのネットワークの動作の移行を実行することは困難なことがある。
【０００３】
低チップレートでの動作と高チップレートでの動作との間の移行を管理する既存の方法は、オペレータが高チップレートのネットワークを提供する前に、完全に低チップレートのネットワークを提供することである。高チップレートの対象範囲の“島”が存在する場合、ネットワークは、低チップレートと高チップレートとの双方で動作可能な装置を備えて“島”に入るユーザを(高チップレートのネットワークのセルに)ハンドオーバすることができる。これは、低チップレートのネットワークと高チップレートのネットワークとの間に下位互換性の何らかのエレメントを提供する。このような移行期間の間に、ネットワークオペレータは、低チップレートと高チップレートとの双方で動作可能なユーザ装置を何らかの加入者に提供する。この移行期間の間に、多数のユーザにサービスするためには、その低チップレートのネットワーク装置しか使用できず、高チップレートで動作可能なユーザ装置を提供された(おそらく新しい)ユーザのみが、高チップレートのネットワーク装置からサービスを受けることができる。
【０００４】
しかし、高チップレートと低チップレートとの間の移行を管理する前述の既存の方法での問題は、(おそらくネットワークオペレータがより大きいネットワーク容量が必要であると確信しているため、)ネットワークオペレータが高チップレートの装置に投資している期間が存在するが、この装置でユーザから有意な収益を得ることができないことである(デュアルモードの低チップレート／高チップレートを提供されたユーザのみが新たに設置された高チップレートの装置を使用することができる)。従って、ネットワークオペレータがそのネットワークを高チップレートの装置にアップグレードする備わった不本意が存在する。この場合、ユーザは悪いサービスから損害を受けることがあり、ネットワークオペレータは、高チップレートでの新しい拡張サービスから得られる可能性のある収益を逃すことから損害を受けることがあり、また、あまり収益が更に得られないネットワーク装置に投資する必要があることから損害を受けることがあり、装置プロバイダは、ユーザが高チップレートのユーザ装置にアップグレードしてしまうまで、ネットワークオペレータが高チップレートのネットワーク装置に投資したがらないことから損害を受けることがある。
【０００５】
更なる問題は、ネットワークが高チップレートの装置で動作し、ユーザが低チップレートの装置を備えたネットワークに移動した場合に生じる。ユーザの装置が高チップレートで動作不可能な場合、ユーザはサービスを受けず、ネットワークは移動するユーザから得られる可能性のある収益を失う。
【発明の概要】
【発明が解決しようとする課題】
【０００６】
従って、前述の欠点が軽減され得る複数のチップレートのサポートの必要性が存在する。
【課題を解決するための手段】
【０００７】
本発明の第１の態様によると、請求項１に記載のように、複数のチップレートをサポートするCDMAシステムで使用されるユーザ装置が提供される。
【図面の簡単な説明】
【０００８】
【図１】本発明が使用され得る3GPP無線通信システムを示したブロック概略図
【図２】低チップレートのシステムの可能なタイムスロット構成を示したブロック概略図
【図３】高チップレートのシステムの可能なタイムスロット構成を示したブロック概略図
【図４】複合チップレートのシステムの可能なタイムスロット構成を示したブロック概略図
【図５】複数の切り替え点を備えた複合チップレートの可能なタイムスロット構成を示したブロック概略図
【図６】単一の低チップレートのキャリアを使用した複数チップレートの動作の可能なタイムスロット構成を示したブロック概略図
【図７】複数の低チップレートのキャリアを仕様した複数チップレートの動作の可能なタイムスロット構成を示したブロック概略図
【発明を実施するための形態】
【０００９】
本発明を組み込んだCDMA  TDDセルで複数のチップレートをサポートする複数の機構について、添付図面を参照してほんの一例として説明する。
【００１０】
まず図１を参照すると、一般的な標準UMTS無線アクセスネットワーク(UTRAN)システム100は、端末／ユーザ装置ドメイン110と、UMTS地上波無線アクセスネットワークドメイン120と、インフラドメイン130とを有するものと便宜的にみなされる。
【００１１】
端末／ユーザ装置ドメイン110では、端末装置(TE:terminal  equipment)110Aは、有線又は無線Rインタフェースを介してモバイル装置(ME:mobile  equipment)110Bに接続されている。ME110Bはまた、ユーザサービス識別モジュール(USIM:user  service  identity  module)110Cに接続されている。ME110BとUSIM110Cとが一緒になってユーザ装置(UE)110Dとみなされる。UE110Dは、無線Uuインタフェースを介して無線アクセスネットワークドメイン(120)のノードB(基地局)120Aとデータを通信する。無線アクセスネットワークドメイン120内で、ノードB120AはIubインタフェースを介して無線ネットワークコントローラ(RNC:radio  network  controller)120Bと通信する。RNC120Bは、Iurインタフェースを介して他のRNC(図示なし)と通信する。ノードB120AとRNC120Bとが一緒になってUTRAN120Cを形成する。RNC120Bは、Iuインタフェースを介してコアネットワークドメイン130のサービスGPRSサービスノード(SGSN:serving  GPRS  service  node)130Aと通信する。コアネットワークドメイン130内で、SGSN130Aは、Gnインタフェースを介してゲートウェイGPRSサポートノード(GGSN:gateway  GPRS  support  node)130Bと通信する。SGSN130A及びGGSN130Bは、それぞれGrインタフェースとGcインタフェースとを介してホームロケーションレジスタ(HLR:home  location  register)サーバ130Cと通信する。GGSN130Bは、Giインタフェースを介して公衆データネットワーク130Dと通信する。
【００１２】
このように、従来では、RNC120BとSGSN130AとGGSN130Bのエレメントは、図１に示すように、無線アクセスネットワークドメイン(120)とコアネットワークドメイン(130)とに分割された(そのそれぞれのソフトウェア／ハードウェアプラットフォームでの)別個の分離したユニットとして提供される。
【００１３】
RNC120Bは、複数のノードB120Aのリソースの制御及び割り当ての役目をするUTRANエレメントである。一般的に50〜100のノードBが１つのRNCにより制御されることがある。RNCはまた、無線インタフェースでのユーザトラヒックの信頼性のある配信を提供する。RNCは(Iurインタフェースを介して)相互に通信し、ハンドオーバ及びマクロダイバーシチ(macrodiversity)をサポートする。
【００１４】
SGSN130Aは、HLRに対するセッション制御及びインタフェースの役目をするUMTSコアネットワークエレメントである。SGSNは個々のUEの位置を追跡し、セキュリティ機能及びアクセス制御を実行する。SGSNは多数のRNCの大きい中央コントローラである。
【００１５】
GGSN130Bは、コアパケットネットワーク内のユーザデータを集約して最終宛先(例えばインターネットサービスプロバイダ-ISP)にトンネリングする役目をするUMTSコアネットワークエレメントである。
【００１６】
このようなUTRANシステム及びその動作は、www.3gpp.orgの3GPPウェブサイトから入手可能な3rd  Generation  Partnership  Projectの技術仕様文献である3GPP  TS  25.401、3GPP  TS  23.060及び関連文献により詳細に記述されており、ここで詳細に説明する必要はない。
【００１７】
主な実施例から始まり、本発明の複数の実施例について以下に説明する。その主な実施例は、更に説明する実施例に適用可能な一般的な例である。
【００１８】
本発明の主な実施例では、システム100は、低チップレートと高チップレートとを使用する複数チップレートのシステムである。一例として、チップレートが3.84Mcpsの整数の倍数であり、低チップレートが3.84Mcpsであり、高チップレートが7.68Mcpsであると仮定する。周知のように、UE110DとノードB120Aとの間の無線インタフェースUuでの通信は、多様な所定のチャネルで生じる。UE110DとノードB120Aとの間の無線インタフェースUuでのシグナリング用のタイムスロット構成と、低チップレートのシステム(この例では3.84Mcpsのチップレートであると仮定する)用のタイムスロット構成は図２に示すように割り当てられてもよい。
【００１９】
図２において、15個のタイムスロットを有する単一のフレーム200が示されている。5個のタイムスロット(図面に示す一番右の5個のタイムスロット)がアップリンクタイムスロット(ユーザ装置からネットワークへの方向に伝送されるデータ)として示されており、10個のタイムスロット(図面に示す一番左の10個のタイムスロット)がダウンリンク(ネットワークからユーザ装置への方向に伝送されるデータ)で示されている。この場合では“3.84ビーコン”というラベルが付いているダウンリンクタイムスロットの１つ(図面に示す一番左のタイムスロット)は特別の目的を有する。それはビーコン機能を実行する“ビーコン”データを有するために使用される(3GPPシステムで周知であるため、更に詳細に説明する必要はない)。しかし、一般的にこのタイムスロットは必ずしもビーコン機能を実行するために使用される必要はないことがわかる。
【００２０】
高チップレートのシステム(この例では7.68Mcpsのチップレートであると仮定する)の例示的なタイムスロット構成は、図３に示すように割り当てられてもよい。
【００２１】
図３において、15個のタイムスロットを有する単一のフレーム300が示されている(この例の目的では、高チップレートと低チップレートとのタイムスロット持続時間及びフレーム持続時間は同一であると仮定する)。5個のタイムスロット(図面に示す一番右の5個のタイムスロット)がアップリンクタイムスロット(ユーザ装置からネットワークへの方向に伝送されるデータ)として示されており、10個のタイムスロット(図面に示す一番左の10個のタイムスロット)がダウンリンク(ネットワークからユーザ装置への方向に伝送されるデータ)で示されている。この場合では“7.68ビーコン”というラベルが付いているダウンリンクタイムスロットの１つ(図面に示す一番左のタイムスロット)は特別の目的を有する。それはビーコン機能を実行する“ビーコン”データを有するために使用される(3GPPシステムで周知であるため、更に詳細に説明する必要はない)。しかし、一般的にこのタイムスロットは必ずしもビーコン機能を実行するために使用される必要はないことがわかる。
【００２２】
図４は、本発明に関する可能なタイムスロット構成を示している。この図はタイムスロットを昇順に番号を付けている。次のフレームでは、次のフレームの最初のタイムスロットでタイムスロット番号は0にリセットして、フレーム番号が増加する。
【００２３】
図４に示すタイムスロット構成400では、9個のタイムスロット(タイムスロット0-8)が低チップレート(3.84Mcps)に割り当てられている。これらのタイムスロットのうち6個(タイムスロット0-5)はダウンリンクタイムスロットであり、3個(タイムスロット6-8)はアップリンクタイムスロットである。低チップレートのダウンリンクタイムスロットのうち1個(タイムスロット0)は、特別目的のタイムスロットとして示されている(この例では“3.84ビーコン”タイムスロットと呼ばれる)。図４において、6個のタイムスロット(タイムスロット9-14)は高チップレート(7.68Mcps)に割り当てられている。これらのタイムスロットのうち4個(タイムスロット9-12)はダウンリンクであり、2個(タイムスロット13及び14)はアップリンクタイムスロットである。高チップレートのダウンリンクタイムスロットのうち1個(タイムスロット9)は、特別目的のタイムスロットとして示されている(この例では“7.68ビーコン”タイムスロットと呼ばれる)。
【００２４】
低チップレートのみで動作可能なUEが、図４に示すタイムスロット構成を使用するネットワークに移動した場合を検討すると、このUEは特別目的(“3.84ビーコン”)のタイムスロットを探す。UEが特別目的の低チップレートのタイムスロットを見つけると、ネットワークセルの存在を認識し(この例ではネットワークはセルラシステムであると仮定する)、そのセルにキャンプオン(camp  on)する。UEは、タイムスロット6-8の１つの低チップレートを使用して存在していることを、ネットワークに伝える。ネットワークは、UEが低チップレートのUEであり、将来的にタイムスロット0-8のリソースのみを割り当てることを認識する(例えば、それがUEに専用リソースを割り当てる場合、フレーム毎に一度だけタイムスロット5の単一のダウンリンクチャネルを割り当て、フレーム毎に一度だけタイムスロット8の単一のアップリンクチャネルを割り当ててもよい。CDMAシステムでは、タイムスロット毎に複数のチャネルがサポートされ得る点に留意すべきである)。
【００２５】
次に、高チップレートのみで動作可能なUEが、図４に示すタイムスロット構成を使用するネットワークに移動した場合を検討すると、このUEは特別目的(“7.68ビーコン”)のタイムスロットを探し、低チップレートの特別目的(“3.84ビーコン”)のタイムスロットを無視する。UEが特別目的の高チップレートのタイムスロットを見つけると、ネットワークセルの存在を認識し、そのセルにキャンプオン(camp  on)する。UEは、タイムスロット13又は14の高チップレートを使用して存在していることを、ネットワークに伝える。ネットワークは、UEが高チップレートのUEであり、将来的にタイムスロット9-14のリソースのみを割り当てることを認識する(例えば、それがUEに専用リソースを割り当てる場合、フレーム毎に一度だけタイムスロット10の単一のダウンリンクチャネルを割り当て、フレーム毎に一度だけタイムスロット14の単一のアップリンクチャネルを割り当ててもよい。CDMAシステムでは、タイムスロット毎に複数のチャネルがサポートされ得る点に留意すべきである)。
【００２６】
低チップレート(この例では3.84Mcps)と高チップレート(この例では7.68Mcps)とのうちいずれかで動作可能UEが、図４に示すタイムスロット構成を使用するネットワークに移動した場合、考えられ得る複数の可能なシナリオが存在する(以下の説明で“実施例１”及び“実施例２”として説明する)。
【００２７】
実施例１
第１のシナリオでは、UEは高チップレートの特別目的のスロットに優先して、低チップレートの特別目的のスロットを探す。UEが低チップレートの特別目的のスロットを見つけると、その存在をセルに通知し、低チップレートでそのセルにキャンプオンする。UEは高チップレートで動作する機能をネットワークに通知する。その後、ネットワークは高チップレートのネットワーク機能にUEをハンドオーバすると決定してもよい。この場合、UEは低チップレートに優先して高チップレートにキャンプオンし、ネットワークの高チップレートの機能は高チップレートのリソースをUEに割り当てる(この例ではタイムスロット9-14)。この第１のシナリオでは、UEは２つのチップレートでの動作の間にある程度の柔軟性がないことを示す。UEは一方のチップレートから他方にゆっくりしか変化することができず、そのため、ネットワークは２つのチップレートのネットワークの間でデュアルモード装置のハンドオーバを実行し、異なるチップレートのネットワークは基本的に独立して動作する。
【００２８】
実施例２
第２のシナリオでは、UEは高チップレートの特別目的のスロットに優先して、低チップレートの特別目的のスロットを探す。UEが低チップレートの特別目的のスロットを見つけると、その存在をセルに通知し、低チップレートでそのセルにキャンプオンする。UEは高チップレートで動作する機能をネットワークに通知する。その後、ネットワークは、低チップレートのリソース(この例ではタイムスロット0-8)と高チップレートのリソース(この例ではタイムスロット9-14)とのうちいずれかをUEに割り当ててもよい(単一の割り当てが低チップレートのリソースと高チップレートのリソースの双方(例えばタイムスロット5、8、9)を含むように、単一の割り当ては低チップレートと高チップレートとに及んでもよい)。この第２のシナリオでは、UEは低チップレートと高チップレートとの双方で動作可能であり、タイムスロット毎に又はフレーム毎にチップレートを変更することができる。この第２のシナリオでは、ネットワークの低チップレートの部分及び高チップレートの部分が一緒に動作することができる(この構成は、トランキングの効率性の利益のため、高チップレートのネットワーク機能と低チップレートのネットワーク機能が独立して動作する場合より大きい容量を提供することがある)。
【００２９】
この第２のシナリオでは、UEは、割り当てられたタイムスロットに適用するチップレートを認識しなければならない。UEはスロットのチップレートを自発的に検出してもよい。これは、受信データのスペクトル(周波数)分析や、チャネル評価の結果の分析及び比較や、マルチユーザ検出器の出力の分析等のような、既知の方法により行われ得る。例えば、チャネル評価の場合、チャネル評価は3.84Mcps及び7.68Mcpsで作られ、3.84Mcpsチャネル評価が7.68チャネル評価より良い場合に、スロットが実際に3.84Mcpsであると仮定され得る。代替として、UEは、割り当てメッセージの上位レイヤのシグナリングを介してチップレートを伝えられてもよく、また、ブロードキャストの上位レイヤのシグナリングを介してチップレートを伝えられてもよい。
【００３０】
明らかに、前記の２つのシナリオにおいて、代替として、UEは低チップレートに優先して、高チップレートの特別目的のスロットを探してもよく、この場合の機能は前述の説明から当業者に明らかである。
【００３１】
実施例３
図４に関する前述の実施例１及び実施例２は、(低チップレートのシステムが小さいインデックスのタイムスロットを占有し、高チップエーとのシステムが大きいインデックスのタイムスロットを占有しているという意味で)低チップレートのシステムと高チップレートのシステムとの間に単一の切り替え点を備えたスロット構成を示しているが、実際には低チップレートのシステムと高チップレートのシステムとの間に複数の切り替え点が存在してもよいことがわかる。複数の切り替え点を備えたスロット構成(“実施例３”)が図５に示されている。
【００３２】
実施例３のスロット構成は、多様な理由で使用され得る。特に、UMTS  TDDシステムの場合、図５のタイムスロット構成500は、フレーム毎にビーコンスロットを使用する“同期ケース2”(ビーコンの一方がスロットkであり、他方がk+8のスロットである)を可能にするために使用され得る。当然のことながら、“同期ケース2”は、周波数内及びシステム内の測定を促進し得る(UEは現在の周波数でビーコンをデコードし、8スロット後にその他の周波数でビーコンを調べることができる)。それはまた、出力制御を支援し得る。
【００３３】
図５の例は、時間ドメインでの本発明の動作の態様を示している。次に、周波数ドメインでの本発明の動作の態様について検討する。以下の例示的な実施例は、前述の本発明の例示的な実施例及び主な実施例に関連する。
【００３４】
以下の例では、低チップレートのシステムをサポートするために必要な帯域はWlowであり(3.84McpsシステムではWlowは一般的に5MHzである)、高チップレートのシステムをサポートするために必要な帯域はWhigh(7.68McpsシステムではWhighは一般的に10MHzである)である。周波数ドメインの低チップレートのタイムスロットの動作について複数のシナリオが存在する(これらについて以下の説明で“実施例４”及び“実施例５”として説明する)。それぞれのシナリオでは、ネットワークはWhighのスペクトル割り当てで動作すると仮定する(例えば、ネットワークが3.84Mcpsと7.68Mcpsの双方での動作をサポートしている場合、全体としてのネットワークのスペクトル割り当ては、7.68Mcpsのチップレートをサポートするために必要な帯域(一般的に10MHz)である)。
【００３５】
実施例４
次に図６を参照すると、第１の周波数ドメインのシナリオにおいて、タイムスロットのフレーム構成600が使用され、ネットワークは低チップレートのタイムスロット(タイムスロット0-8)で単一の3.84Mcpsネットワーク機能を動作し、高チップレートのタイムスロット(タイムスロット9-14)で単一の7.68Mcpsネットワーク機能を動作する。低チップレートのタイムスロット(タイムスロット0-8)では、3.84Mcpsネットワーク機能のスペクトルは、全体としてのネットワークのスペクトル割り当ての中央に位置する(図６の低チップレートのタイムスロット0-8で示す波形で示す)。この場合、3.84Mcpsネットワーク機能のキャリア周波数は、7.68Mcpsネットワーク機能のキャリア周波数と同じである。デュアルモードのUEが同じフレーム内で２つのチップレートで割り当てを受信する場合、この構成は有利なことがある。低チップレートのタイムスロットのこの単一の低チップレートのシステムの主な利点は、実施例１及び２がこの場合に容易に適合する可能性があることである。逆に、複数の低チップレートのシステムが存在する場合、割り当てが２つのチップレートに及ぶときには、シンセサイザ(及び他のRF構成要素)が継続して再同調される必要があることがある。この実施例４は、前述の実施例１及び２で使用され得る。
【００３６】
実施例５
次に図７を参照すると、第２の周波数ドメインのシナリオにおいて、タイムスロットのフレーム構成700が使用され、ネットワークは低チップレートのタイムスロット(タイムスロット0-8)で２つの別個の3.84Mcpsネットワーク機能を動作し、高チップレートのタイムスロット(タイムスロット9-14)で単一の7.68Mcpsネットワーク機能を動作する。低チップレートのタイムスロットでは、２つの別個の3.84Mcpsネットワーク機能(710及び720)は同時に共存するが、周波数で分かれている。図７でわかるように、機能710の低チップレートのタイムスロット0-8に示す波形は高周波数に中心があり、機能720の低チップレートのタイムスロット0-8に示す波形は、機能710の高周波数からオフセットした低周波数に中心がある。このシナリオでは、ネットワークは、前述のシナリオ(実施例３)の場合より低チップレートで約２倍の容量を有する。このシナリオでは、(UEの機能に従って)低チップレートのキャリアの間、又は低チップレートのキャリアと高チップレートのキャリアとの間若しくはその逆で、ハンドオーバ動作によりユーザを移すことができる。この実施例５は、前述の実施例１及び２で使用され得るが、実施例２の場合、UEはキャリア周波数と、一方のチップレートのシステムに対する他方のチップレートのシステムのオフセットとについて通知を受ける必要がある(例えば、UEがタイムスロット5、8、9を割り当てられている場合、ネットワークは低チップレートのシステムのキャリア周波数に対する高チップレートのシステムのキャリア周波数をUEに通知する必要がある)。
【００３７】
特定のチップレートに割り当てられるタイムスロットの数は(前述のように)固定でもよく、また、フレーム毎に動的に変化してもよい。タイムスロット割り当ては、(例えばシステム情報ブロックの)ブロードキャストシグナリングを介して伝えられてもよく、また、(例えば単一又は複数の割り当てについてタイムスロットのパラメータを定める)ポイント・ツー・ポイント・シグナリングを介して伝えられてもよい。ポイント・ツー・ポイント・シグナリングは、無線リソース制御(RRC:radio  resource  control)メッセージで運ばれてもよく、(例えば高速ダウンリンクパケットアクセス(HSDPA:High  Speed  Downlink  Packet  Access)に適用される)媒体アクセス制御(MAC:media  access  control)メッセージで運ばれてもよく、また、(TFCIシグナリングに類似する)物理レイヤメッセージで運ばれてもよい。
【００３８】
代替として、UEはタイムスロットに割り当てられるチップレートを自発的に決定してもよい。
【００３９】
各チップレートのシステムは、(他のチップレートがフレームで切り替えられた場合に、どのチップレートも依然として機能する程度に：各チップレートは基本的に他のチップレートと独立して制御される)他のチップレートのシステムと独立して動作してもよく、また、チップレートの１つが他のチップレートと協力して動作してもよい(チップレートは共通の制御エンティティにより制御される)ことが更にわかる。
【００４０】
図７に関して前述した実施例５では、低チップレートの機能の２つのインスタンスが異なる周波数でサポートされているが、低チップレートの機能の数は、低チップレートのシステムの帯域に対する高チップレートのシステムの帯域の比率に比例してもよいことが更にわかる。
【００４１】
前述のCDMAシステムで複数チップレートをサポートする方法は、ノードB又はUEのプロセッサ(図示なし)で動作するソフトウェアで実行されてもよく、ソフトウェアは、磁気又は光コンピュータディスクのような何らかの適切なデータキャリア(図示なし)で運ばれるコンピュータプログラム要素として提供されてもよいことがわかる。
【００４２】
代替として、前述の符号分割多重アクセス(CDMA)システムで複数チップレートをサポートする方法は、ノードB又はUEのFPGA(Field  Programmable  Gate  Array)又はASIC(Application  Specific  Integrated  Circuit)のような、例えば集積回路(図示なし)の形式のハードウェアで実行されてもよいことが更にわかる。
【００４３】
UTRA  TDDシステムに関して好ましい実施例について前述したが、本発明は２つ以上のチップレートをサポートする如何なるCDMAシステムにも一般的に適用可能であることが更にわかる。
【００４４】
前述の異なるチップレートをサポートする機構は以下の利点を有することがわかる。
・既存の低チップレートのユーザ装置に、高チップレートの機能を有するネットワークの下位互換性を提供する。
・低チップレートのネットワークから高チップレートのネットワークへの移行期間中に、より大きいネットワーク容量を可能にする。
・高チップレートのネットワークを備えたネットワークオペレータが、低チップレートのネットワークからの移行ユーザにサービスを提供することが可能になる。
【００４５】
以上の実施例に関し、更に、以下の項目を開示する。
【００４６】
（１）符号分割多重アクセス(CDMA)システムにおいて複数のチップレートをサポートする方法であって、
複数のタイムスロットを有するフレームで前記システムの信号を伝送し、
前記複数のチップレートのうち第１のもので、前記フレームの前記複数のタイムスロットのうち第１のものを少なくとも動作し、
前記複数のチップレートのうち第２のもので、前記フレームの前記複数のタイムスロットのうち第２のものを少なくとも動作することを有する方法。
【００４７】
（２）（１）に記載の方法であって、
前記システムは、3GPP  UMTSシステムを有する方法。
【００４８】
（３）（２）に記載の方法であって、
前記3GPP  UMTSシステムは、TDDシステムを有する方法。
【００４９】
（４）（１）ないし（３）のうちいずれか１項に記載の方法であって、
前記複数のチップレートは、3.84Mcpsの整数の倍数である方法。
【００５０】
（５）（４）に記載の方法であって、
前記複数のチップレートのうち前記第１のものは、実質的に3.84Mcpsであり、
前記複数のチップレートのうち前記第２のものは、実質的に7.68Mcpsである方法。
【００５１】
（６）（１）ないし（５）のうちいずれか１項に記載の方法であって、
前記フレームは、前記複数のタイムスロットのうち少なくとも１つにビーコンデータを有する方法。
【００５２】
（７）（１）ないし（６）のうちいずれか１項に記載の方法であって、
前記ビーコンデータは、前記複数のチップレートのうち最低のもので動作する前記複数のタイムスロットのうちの１つにある方法。
【００５３】
（８）（１）ないし（５）のうちいずれか１項に記載の方法であって、
前記フレームは、前記複数のチップレートのうち前記第１のもので動作する前記複数のタイムスロットのうちの１つの第１のビーコンデータと、前記複数のチップレートのうち前記第２のもので動作する前記複数のタイムスロットのうちのその他のものの第２のビーコンデータとを有する方法。
【００５４】
（９）（１）ないし（８）のうちいずれか１項に記載の方法であって、
前記複数のチップレートのうち前記第１のもの及び第２のものは、相互に独立して制御される方法。
【００５５】
（１０）（１）ないし（８）のうちいずれか１項に記載の方法であって、
前記複数のチップレートのうち前記第１のもの及び第２のものは、共通に制御される方法。
【００５６】
（１１）（１）ないし（１０）のうちいずれか１項に記載の方法であって、
前記第１のチップレートで動作するフレームで、前記複数のタイムスロットのうち前記少なくとも第１のものの複数のインスタンスを伝送することを有する方法。
【００５７】
（１２）（１１）に記載の方法であって、
前記複数のインスタンスは、周波数ドメインで分かれている方法。
【００５８】
（１３）（１１）又は（１２）に記載の方法であって、
前記複数のインスタンスの数は、前記第１のチップレートのシステムの帯域に対する前記第２のチップレートのシステムの帯域の比率に比例する方法。
【００５９】
（１４）（１）ないし（１３）のうちいずれか１項に記載の方法であって、
前記第１のチップレートのシステムは、前記第２のチップレートのシステムと実質的に同じキャリア周波数で動作する方法。
【００６０】
（１５）（１）ないし（１４）のうちいずれか１項に記載の方法であって、
ブロードキャストシグナリングを介してタイムスロットのパラメータをユーザに伝送することを更に有する方法。
【００６１】
（１６）（１５）に記載の方法であって、
前記システムは、UMTS  TDDシステムであり、
タイムスロットのパラメータをユーザに伝送するステップは、システム情報ブロックでブロードキャストされる信号を伝送することを有する方法。
【００６２】
（１７）（１）ないし（１４）のうちいずれか１項に記載の方法であって、
ポイント・ツー・ポイント・シグナリングを介してタイムスロットのパラメータをユーザに伝送することを更に有する方法。
【００６３】
（１８）（１７）に記載の方法であって、
前記ポイント・ツー・ポイント・シグナリングは、単一の割り当てのタイムスロットパラメータを定める方法。
【００６４】
（１９）（１７）に記載の方法であって、
前記ポイント・ツー・ポイント・シグナリングは、複数の割り当てのタイムスロットパラメータを定める方法。
【００６５】
（２０）（１７）に記載の方法であって、
前記システムは、UMTS  TDDシステムを有し、
前記ポイント・ツー・ポイント・シグナリングは、無線リソース制御(RRC)メッセージで運ばれる方法。
【００６６】
（２１）（１７）に記載の方法であって、
前記システムは、UMTS  TDDシステムを有し、
前記ポイント・ツー・ポイント・シグナリングは、媒体アクセス制御(MAC)メッセージで運ばれる方法。
【００６７】
（２２）（１７）に記載の方法であって、
前記システムは、UMTS  TDDシステムを有し、
前記ポイント・ツー・ポイント・シグナリングは、物理レイヤメッセージで運ばれる方法。
【００６８】
（２３）（１）ないし（２２）のうちいずれか１項に記載の方法であって、
伝送フレームを受信するユーザ装置が、タイムスロットに適用されるチップレートを自発的に決定する方法。
【００６９】
（２４）複数のチップレートをサポートする符号分割多重アクセス(CDMA)システムであって、
複数のタイムスロットを有するフレームで、ネットワークから前記システムのユーザ装置に信号を伝送する手段と、
前記複数のチップレートのうち第１のもので、前記フレームの前記複数のタイムスロットのうち第１のものを少なくとも動作する手段と、
前記複数のチップレートのうち第２のもので、前記フレームの前記複数のタイムスロットのうち第２のものを少なくとも動作する手段と
を有するCDMAシステム。
【００７０】
（２５）（２４）に記載のCDMAシステムであって、
前記システムは、3GPP  UMTSシステムを有するCDMAシステム。
【００７１】
（２６）（２５）に記載のCDMAシステムであって、
前記3GPP  UMTSシステムは、TDDシステムを有するCDMAシステム。
【００７２】
（２７）（２４）ないし（２６）のうちいずれか１項に記載のCDMAシステムであって、
前記複数のチップレートは、実質的に3.84Mcpsの整数の倍数であるCDMAシステム。
【００７３】
（２８）（２７）に記載のCDMAシステムであって、
前記複数のチップレートのうち前記第１のものは、実質的に3.84Mcpsであり、
前記複数のチップレートのうち前記第２のものは、実質的に7.68McpsであるCDMAシステム。
【００７４】
（２９）（２４）ないし（２８）のうちいずれか１項に記載のCDMAシステムであって、
前記フレームは、前記複数のタイムスロットのうち少なくとも１つにビーコンデータを有するCDMAシステム。
【００７５】
（３０）（２４）ないし（２９）のうちいずれか１項に記載のCDMAシステムであって、
前記ビーコンデータは、前記複数のチップレートのうち最低のもので動作する前記複数のタイムスロットのうちの１つにあるCDMAシステム。
【００７６】
（３１）（２４）ないし（２８）のうちいずれか１項に記載のCDMAシステムであって、
前記フレームは、前記複数のチップレートのうち前記第１のもので動作する前記複数のタイムスロットのうちの１つの第１のビーコンデータと、前記複数のチップレートのうち前記第２のもので動作する前記複数のタイムスロットのうちのその他のものの第２のビーコンデータとを有するCDMAシステム。
【００７７】
（３２）（２４）ないし（３１）のうちいずれか１項に記載のCDMAシステムであって、
前記複数のチップレートのうち前記第１のもの及び第２のものは、相互に独立して制御されるCDMAシステム。
【００７８】
（３３）（２４）ないし（３１）のうちいずれか１項に記載のCDMAシステムであって、
前記複数のチップレートのうち前記第１のもの及び第２のものは、共通に制御されるCDMAシステム。
【００７９】
（３４）（２４）ないし（３３）のうちいずれか１項に記載のCDMAシステムであって、
ネットワークから前記システムのユーザ装置に信号を伝送する手段は、前記第１のチップレートで動作するフレームで、前記複数のタイムスロットのうち前記少なくとも第１のものの複数のインスタンスを伝送する手段を有するCDMAシステム。
【００８０】
（３５）（３４）に記載のCDMAシステムであって、
前記複数のインスタンスは、周波数ドメインで分かれているCDMAシステム。
【００８１】
（３６）（３４）又は（３５）に記載のCDMAシステムであって、
前記複数のインスタンスの数は、前記第１のチップレートのシステムの帯域に対する前記第２のチップレートのシステムの帯域の比率に比例するCDMAシステム。
【００８２】
（３７）（２４）ないし（３６）のうちいずれか１項に記載のCDMAシステムであって、
前記第１のチップレートのシステムは、前記第２のチップレートのシステムと実質的に同じキャリア周波数で動作するCDMAシステム。
【００８３】
（３８）（２４）ないし（３７）のうちいずれか１項に記載のCDMAシステムであって、
ブロードキャストシグナリングを介してタイムスロットのパラメータをユーザに伝送する手段を更に有するCDMAシステム。
【００８４】
（３９）（３８）に記載のCDMAシステムであって、
前記システムは、UMTS  TDDシステムであり、
タイムスロットのパラメータをユーザに伝送する手段は、システム情報ブロックでブロードキャストされる信号を伝送する手段を有するCDMAシステム。
【００８５】
（４０）（２４）ないし（３７）のうちいずれか１項に記載のCDMAシステムであって、
ポイント・ツー・ポイント・シグナリングを介してタイムスロットのパラメータをユーザに伝送する手段を更に有するCDMAシステム。
【００８６】
（４１）（４０）に記載のCDMAシステムであって、
前記ポイント・ツー・ポイント・シグナリングは、単一の割り当てのタイムスロットパラメータを定めるCDMAシステム。
【００８７】
（４２）（４０）に記載のCDMAシステムであって、
前記ポイント・ツー・ポイント・シグナリングは、複数の割り当てのタイムスロットパラメータを定めるCDMAシステム。
【００８８】
（４３）（４０）に記載のCDMAシステムであって、
前記システムは、UMTS  TDDシステムを有し、
前記ポイント・ツー・ポイント・シグナリングは、無線リソース制御(RRC)メッセージで運ばれるCDMAシステム。
【００８９】
（４４）（４０）に記載のCDMAシステムであって、
前記システムは、UMTS  TDDシステムを有し、
前記ポイント・ツー・ポイント・シグナリングは、媒体アクセス制御(MAC)メッセージで運ばれるCDMAシステム。
【００９０】
（４５）（４０）に記載のCDMAシステムであって、
前記システムは、UMTS  TDDシステムを有し、
前記ポイント・ツー・ポイント・シグナリングは、物理レイヤメッセージで運ばれるCDMAシステム。
【００９１】
（４６）（２４）ないし（４５）のうちいずれか１項に記載のCDMAシステムであって、
前記ユーザ装置は、タイムスロットに適用されるチップレートを自発的に決定するように適合されるCDMAシステム。
【００９２】
（４７）複数のチップレートをサポートする符号分割多重アクセス(CDMA)システムで使用される基地局であって、
複数のタイムスロットを有するフレームで、前記基地局から前記システムのユーザ装置に信号を伝送する手段と、
前記複数のチップレートのうち第１のもので、前記フレームの前記複数のタイムスロットのうち第１のものを少なくとも動作する手段と、
前記複数のチップレートのうち第２のもので、前記フレームの前記複数のタイムスロットのうち第２のものを少なくとも動作する手段と
を有する基地局。
【００９３】
（４８）（４７）に記載の基地局であって、
前記システムは、3GPP  UMTSシステムを有する基地局。
【００９４】
（４９）（４８）に記載の基地局であって、
前記3GPP  UMTSシステムは、TDDシステムを有する基地局。
【００９５】
（５０）（４７）ないし（４９）のうちいずれか１項に記載の基地局であって、
前記複数のチップレートは、実質的に3.84Mcpsの整数の倍数である基地局。
【００９６】
（５１）（５０）に記載の基地局であって、
前記複数のチップレートのうち前記第１のものは、実質的に3.84Mcpsであり、
前記複数のチップレートのうち前記第２のものは、実質的に7.68Mcpsである基地局。
【００９７】
（５２）（４７）ないし（５１）のうちいずれか１項に記載の基地局であって、
前記フレームは、前記複数のタイムスロットのうち少なくとも１つにビーコンデータを有する基地局。
【００９８】
（５３）（４７）ないし（５２）のうちいずれか１項に記載の基地局であって、
前記ビーコンデータは、前記複数のチップレートのうち最低のもので動作する前記複数のタイムスロットのうちの１つにある基地局。
【００９９】
（５４）（４７）ないし（５１）のうちいずれか１項に記載の基地局であって、
前記フレームは、前記複数のチップレートのうち前記第１のもので動作する前記複数のタイムスロットのうちの１つの第１のビーコンデータと、前記複数のチップレートのうち前記第２のもので動作する前記複数のタイムスロットのうちのその他のものの第２のビーコンデータとを有する基地局。
【０１００】
（５５）（４７）ないし（５４）のうちいずれか１項に記載の基地局であって、
前記複数のチップレートのうち前記第１のもの及び第２のものは、相互に独立して制御される基地局。
【０１０１】
（５６）（４７）ないし（５４）のうちいずれか１項に記載の基地局であって、
前記複数のチップレートのうち前記第１のもの及び第２のものは、共通に制御される基地局。
【０１０２】
（５７）（４７）ないし（５６）のうちいずれか１項に記載の基地局であって、
前記基地局から前記システムのユーザ装置に信号を伝送する手段は、前記第１のチップレートで動作するフレームで、前記複数のタイムスロットのうち前記少なくとも第１のものの複数のインスタンスを伝送する手段を有する基地局。
【０１０３】
（５８）（５７）に記載の基地局であって、
前記複数のインスタンスは、周波数ドメインで分かれている基地局。
【０１０４】
（５９）（５７）又は（５８）に記載の基地局であって、
前記複数のインスタンスの数は、前記第１のチップレートのシステムの帯域に対する前記第２のチップレートのシステムの帯域の比率に比例する基地局。
【０１０５】
（６０）（４７）ないし（５９）のうちいずれか１項に記載の基地局であって、
前記第１のチップレートのシステムは、前記第２のチップレートのシステムと実質的に同じキャリア周波数で動作する基地局。
【０１０６】
（６１）（４７）ないし（６０）のうちいずれか１項に記載の基地局であって、
ブロードキャストシグナリングを介してタイムスロットのパラメータをユーザに伝送する手段を更に有する基地局。
【０１０７】
（６２）（６１）に記載の基地局であって、
前記システムは、UMTS  TDDシステムであり、
タイムスロットのパラメータをユーザに伝送する手段は、システム情報ブロックでブロードキャストされる信号を伝送する手段を有する基地局。
【０１０８】
（６３）（４７）ないし（６０）のうちいずれか１項に記載の基地局であって、
ポイント・ツー・ポイント・シグナリングを介してタイムスロットのパラメータをユーザに伝送する手段を更に有する基地局。
【０１０９】
（６４）（６３）に記載の基地局であって、
前記ポイント・ツー・ポイント・シグナリングは、単一の割り当てのタイムスロットパラメータを定める基地局。
【０１１０】
（６５）（６３）に記載の基地局であって、
前記ポイント・ツー・ポイント・シグナリングは、複数の割り当てのタイムスロットパラメータを定める基地局。
【０１１１】
（６６）（６３）に記載の基地局であって、
前記システムは、UMTS  TDDシステムを有し、
前記ポイント・ツー・ポイント・シグナリングは、無線リソース制御(RRC)メッセージで運ばれる基地局。
【０１１２】
（６７）（６３）に記載の基地局であって、
前記システムは、UMTS  TDDシステムを有し、
前記ポイント・ツー・ポイント・シグナリングは、媒体アクセス制御(MAC)メッセージで運ばれる基地局。
【０１１３】
（６８）（６３）に記載の基地局であって、
前記システムは、UMTS  TDDシステムを有し、
前記ポイント・ツー・ポイント・シグナリングは、物理レイヤメッセージで運ばれる基地局。
【０１１４】
（６９）複数のチップレートをサポートするCDMAシステムで使用されるユーザ装置であって、
複数のタイムスロットを有するフレームで、基地局から信号を受信する手段を有し、
前記フレームの前記複数のタイムスロットのうち少なくとも第１のものは、前記複数のチップレートのうち第１のもので動作され、
前記フレームの前記複数のタイムスロットのうち少なくとも第２のものは、前記複数のチップレートのうち第２のもので動作されるユーザ装置。
【０１１５】
（７０）（６９）に記載のユーザ装置であって、
前記複数のチップレートのうち前記第１のもので、前記複数のタイムスロットのうち１つの所定の情報を前記受信フレームで検出する手段と、
前記ユーザ装置が前記複数のチップレートのうち前記第２のもので動作可能であることを示す信号を前記基地局に伝送する手段と
を更に有するユーザ装置。
【０１１６】
（７１）（７０）に記載のユーザ装置であって、
前記基地局に信号を伝送する手段は、前記ユーザ装置が前記複数のチップレートのうち前記第１のものと前記複数のチップレートのうち第２のものとの双方で動作可能であることを示す信号を前記基地局に伝送する手段を有するユーザ装置。
【０１１７】
（７２）（６９）ないし（７１）のうちいずれか１項に記載のユーザ装置であって、
前記システムは、3GPP  UMTSシステムを有するユーザ装置。
【０１１８】
（７３）（７２）に記載のユーザ装置であって、
前記3GPP  UMTSシステムは、TDDシステムを有するユーザ装置。
【０１１９】
（７４）（６９）ないし（７３）のうちいずれか１項に記載のユーザ装置であって、
前記複数のチップレートは、実質的に3.84Mcpsの整数の倍数であるユーザ装置。
【０１２０】
（７５）（７４）に記載のユーザ装置であって、
前記複数のチップレートのうち前記第１のものは、実質的に3.84Mcpsであり、
前記複数のチップレートのうち前記第２のものは、実質的に7.68Mcpsであるユーザ装置。
【０１２１】
（７６）（７０）ないし（７４）のうちいずれか１項に記載のユーザ装置であって、
前記所定の情報はビーコンデータを有するユーザ装置。
【０１２２】
（７７）（７５）に記載のユーザ装置であって、
前記ビーコンデータは、前記複数のチップレートのうち最低のもので動作する前記複数のタイムスロットのうちの１つにあるユーザ装置。
【０１２３】
（７８）（６９）ないし（７７）のうちいずれか１項に記載のユーザ装置であって、
前記複数のチップレートのうち前記第１のもの及び第２のもののネットワークは、相互に独立して制御されるユーザ装置。
【０１２４】
（７９）（６９）ないし（７７）のうちいずれか１項に記載のユーザ装置であって、
前記複数のチップレートのうち前記第１のもの及び第２のもののネットワークは、共通に制御される基地局。
【０１２５】
（８０）（６９）ないし（７９）のうちいずれか１項に記載のユーザ装置であって、
前記ユーザ装置は、高チップレートのタイムスロットと低チップレートのタイムスロットとを同じフレームで受信するように適合されたユーザ装置。
【０１２６】
（８１）（６９）ないし（８０）のうちいずれか１項に記載のユーザ装置であって、
前記第１のチップレートのシステムは、前記第２のチップレートのシステムと実質的に同じキャリア周波数で動作するユーザ装置。
【０１２７】
（８２）（６９）ないし（８１）のうちいずれか１項に記載のユーザ装置であって、
ブロードキャストシグナリングを介してタイムスロットのパラメータを前記基地局から受信する手段を更に有するユーザ装置。
【０１２８】
（８３）（８２）に記載のユーザ装置であって、
前記システムは、UMTS  TDDシステムであり、
タイムスロットのパラメータを前記基地局から受信する手段は、システム情報ブロックでブロードキャストされる信号を伝送する手段を有するユーザ装置。
【０１２９】
（８４）（６９）ないし（８２）のうちいずれか１項に記載のユーザ装置であって、
ポイント・ツー・ポイント・シグナリングを介してタイムスロットのパラメータを前記基地局から受信する手段を更に有するユーザ装置。
【０１３０】
（８５）（８４）に記載のユーザ装置であって、
前記ポイント・ツー・ポイント・シグナリングは、単一の割り当てのタイムスロットパラメータを定めるユーザ装置。
【０１３１】
（８６）（８４）に記載のユーザ装置であって、
前記ポイント・ツー・ポイント・シグナリングは、複数の割り当てのタイムスロットパラメータを定めるユーザ装置。
【０１３２】
（８７）（８４）に記載のユーザ装置であって、
前記システムは、UMTS  TDDシステムを有し、
前記ポイント・ツー・ポイント・シグナリングは、無線リソース制御(RRC)メッセージで運ばれるユーザ装置。
【０１３３】
（８８）（８４）に記載のユーザ装置であって、
前記システムは、UMTS  TDDシステムを有し、
前記ポイント・ツー・ポイント・シグナリングは、媒体アクセス制御(MAC)メッセージで運ばれるユーザ装置。
【０１３４】
（８９）（８４）に記載のユーザ装置であって、
前記システムは、UMTS  TDDシステムを有し、
前記ポイント・ツー・ポイント・シグナリングは、物理レイヤメッセージで運ばれるユーザ装置。
【０１３５】
（９０）（６９）ないし（８９）のうちいずれか１項に記載のユーザ装置であって、
前記ユーザ装置は、タイムスロットに適用されるチップレートを自発的に決定するように適合されるユーザ装置。
【０１３６】
（９１）（１）ないし（２３）のうちいずれか１項に記載の方法を実質的に実行するコンピュータプログラム手段を有するコンピュータプログラム要素。
【０１３７】
（９２）（４７）ないし（２３）のうちいずれか１項に記載の基地局において、信号を伝送する手段と、前記複数のタイムスロットのうち少なくとも第１のものを動作する手段と、前記複数のタイムスロットのうち少なくとも第２のものを動作する手段とを実質的に有する集積回路、又は（６９）ないし（９０）のうちいずれか１項に記載のユーザ装置において、信号を受信する手段を実質的に有する集積回路。
【図１】
0005601967.tif 000002
【図２】
0005601967.tif 000003
【図３】
0005601967.tif 000004
【図４】
0005601967.tif 000005
【図５】
0005601967.tif 000006
【図６】
0005601967.tif 000007
【図７】
0005601967.tif 000008